(57)【特許請求の範囲】
【請求項１】
視感度特性に近い分光感度特性の定常光測光手段と、５００ｎｍ以上の緑色又は黄色の波長域に分光感度ピークを有する第１の測色用測光手段と、前記波長域よりも短い青色の波長域に分光感度ピークを有する第２の測色用測光手段と、前記第１及び第２の測色用測光手段の各測光出力を比較して被写体の色を判定し、かつ判定した色に基づいて測光補正値を算出する測光補正値算出手段と、前記定常光測光手段の測光出力に前記測光補正値を加味して適正露出量を決定する露出量決定手段とを備えることを特徴とする測光装置。
【請求項２】
前記定常光測光手段と前記第１の測色用測光手段とは一つの測光センサで兼用されていることを特徴とする請求項１に記載の測光装置。
【請求項３】
前記第１及び第２の測色用測光手段は、それぞれ同じ特性の測光センサで構成され、かつ各測光センサの測光面に前記各波長域の光を透過するフィルタを配置した構成であることを特徴とする請求項１又は２に記載の測光装置。
【請求項４】
前記第１及び第２の測色用測光手段は、それぞれ同じ特性の測光センサで構成され、かつ前記両測光センサはビームスプリッタによりそれぞれ異なる波長領域の光に分割された光を測光することを特徴とする請求項１又は２に記載の測光装置。
【請求項５】
前記定常光測光手段、第１及び第２の測色用測光手段はそれぞれカメラの撮影レンズを透過した光を測光する請求項１ないし４のいずれかに記載の測光装置。
【請求項６】
被写体を照明する外部光源を測光するための光源測光用手段を備え、前記光源測光用手段の測光出力に基づいて前記測色用測光手段の測光出力を補正することを特徴とする請求項５に記載の測光装置。
【請求項７】
前記定常光測光手段、第１及び第２の測色用測光手段は、それぞれ測光面が複数の測光エリアに分割され、前記測光補正値算出手段は前記各測光エリアごとに前記被写体の色を判定し、かつ判定した色に基づいて前記測光補正値を算出し、かつ前記露出量決定手段は前記各測光エリアの各測光補正値に基づいて各測光エリアの前記定常光測光手段の測光値を補正し、補正された前記測光値に基づいて適正露出量を決定することを特徴とする請求項１ないし６のいずれかに記載の測光装置。
【請求項８】
前記露出量決定手段は、前記各測光エリア毎に補正された測光値に基づき、任意のアルゴリズムによる分割測光により前記適正な露出量を決定する機能、前記各測光エリア毎に補正された測光値を平均化した平均測光により前記適正な露出量を決定する機能、前記各測光エリア毎に補正された測光値のうち、被写体画面の中央領域の測光値に重み付け処理を行った中央重点測光により前記適正な露出量を決定する機能、または前記各測光エリア毎に補正された測光値のうち、被写体画面の特定領域の測光値に基づいたスポット測光により前記適正な露出量を決定する機能の少なくとも一つを備えることを特徴とする請求項７に記載の測光装置。
【請求項９】
前記分割測光、前記中央重点測光、あるいは前記スポット測光では、カメラの合焦を行うための測距エリアに対応した測光エリアの測光値を用いることを特徴とする請求項８に記載の測光装置。
【請求項１０】
前記分割測光、平均測光、中央重点測光及びスポット測光を切り替え可能に構成したことを特徴とする請求項８または９に記載の測光装置。
【請求項１１】
前記定常光測光手段と前記第１及び第２の測色用測光手段は、一眼レフカメラのペンタプリズムの接眼光学系側に配置されており、少なくとも前記定常光測光手段は前記ペンタプリズムの中央上部に配置されていることを特徴とする請求項１ないし１０のいずれかに記載の測光装置。
【請求項１２】
前記第１及び第２の測色用測光手段は、一眼レフカメラのトラピゾイドプリズムの接眼光学系側の左右位置にそれぞれ配置されていることを特徴とする請求項１ないし１１のいずれかに記載の測光装置。
【発明の詳細な説明】
【０００１】
【発明の属する技術分野】
本発明は一眼レフカメラに適用して好適な測光装置に関し、特に被写体の色による反射率の相違による露出誤差を解消してカメラ撮影での適正露出を得ることを可能にした測光装置に関する。
【０００２】
【従来の技術】
近年のカメラに備えられている測光装置は反射光式測光装置と称されるものが殆どであり、この反射光式測光装置は、被写体で反射された光をカメラの観察光学系を通して測光素子で測光し、その測光値に基づいて被写体の輝度を測定し、さらにこの測定値に基づいてカメラでの露出制御値を算出している。しかし、この種の測光装置は、その原理上被写体の光反射率を知ることができないため、被写体の光反射率を一定の値、例えば１８％と仮定して露出制御値を算出することが行われている。このため、光反射率が１８％よりも高い白っぽい被写体は高輝度に測定し、これに応じて露出を制限するためにアンダーに露光されてしまい、逆に光反射率が１８％よりも低い黒っぽい被写体は露出を増加させるためにオーバに露光されてしまうことになる。また、このような被写体における光反射率の違いは、前記したような白っぽい場合或いは黒っぽい場合に限られるものではなく、被写体の色の相違によっても生じている。例えば、被写体の色が黄色の場合には、光反射率が７０％にも達するため、標準露出を前記したように１８％の被写体反射率におけると仮定すると、約２Ｅｖの露出アンダーとなる。逆に、被写体の色が青色の場合には光反射率が９％程度であるため、約１Ｅｖの露出オーバとなる。
【０００３】
【発明が解決しようとする課題】
このため、従来の測光装置では、撮影者が被写体の光反射率を推測し、被写体が白っぽい場合、あるいは黄色のように光反射率が高い場合にはオーバ目に、また逆に被写体が黒っぽい場合、あるいは青色のように光反射率が低い場合にはアンダー目となるような露出補正を可能にした露出補正装置を備えた測光装置が提案されている。このような露出補正を行うことにより、前記した問題を解消することは可能であるが、このような被写体での光反射率を推測して露出補正を行うためにはある程度の経験や熟練を必要とし、全ての撮影者がこのような露出補正を行うことは実際には不可能であり、しかも露出補正に際して撮影者の手操作が必要とされることは、近年における自動撮影を可能にしたカメラの測光装置として好ましいものではない。
【０００４】
このような問題に対し、本願出願人は先に、被写体の色を測色する手段を設け、測光により得られた露出値を、測色した被写体の色に基づいて補正することにより、適正な露出を自動的に得ることが可能な測光装置を提案している。この場合、測色手段としては、被写体を例えば赤色（Ｒ）、緑色（Ｇ）、青色（Ｂ）に三色分解して各色成分をそれぞれ測光するＲ，Ｇ，Ｂ用の測光素子が用いられ、各測光素子の測光出力に基づいて被写体色を判定し、判定した被写体色に対応して露出補正値を演算し、前記した適正な露出を得ている。このようにすることで、被写体の色の違いにかかわらず適正な露出が得られるが、三色分解した各色成分用の測光素子を配設することが難しい測光装置、例えば、ファインダ系にトラピゾイドプリズムを採用したカメラの測光装置、あるいは小型カメラに設けられる測光装置では、カメラ内に３つ以上の測光素子を配設することが難しいため、この種の測光装置に前記した三色分解による測色手段を設けて前記した適正な露出を実現することが難しいものとなっている。また、３つ以上の測光素子を配設することが可能なカメラの場合でも、測光素子の数がコストに反映されるため、低コストの測光装置を実現することが難しいものとなっている。
【０００５】
本発明の目的は、被写体を測色するための測光素子を２つの測光素子で構成し、これら測光素子で測色した被写体の色の違い、すなわち、被写体の光反射率の相違にかからわずカメラ撮影での適正露出を可能とした測光装置を提供するものである。
【０００６】
【課題を解決するための手段】
本発明の測光装置は、視感度特性に近い分光感度特性の定常光測光手段と、５００ｎｍ以上の緑色又は黄色の波長域に分光感度ピークを有する第１の測色用測光手段と、前記波長域よりも短い青色の波長域に分光感度ピークを有する第２の測色用測光手段と、前記第１及び第２の測色用測光手段の各測光出力を比較して被写体の色を判定し、かつ判定した色に基づいて測光補正値を算出する測光補正値算出手段と、前記定常光測光手段の測光出力に前記測光補正値を加味して適正露出量を決定する露出量決定手段とを備えることを特徴とする。このような特徴を備えることで、第１の測色用測光手段で反射率の高い黄色領域を測色し、第２の測色用測光手段で反射率の低い青色領域を測色し、これら２つの測色用測光手段の測光出力に基づいて測光補正値を算出し、この測光補正値に基づいて定常光測光手段の測光出力を補正することにより、２つの測色用測光手段を備えるのみで、被写体の光反射率の相違にかかわらず適正露出を得ることが可能になる。
【０００７】
また、本発明において、前記定常光測光手段と前記第１の測色用測光手段とを一つの測光センサで兼用することにより、測光装置全体として２つの測光手段で構成することが可能になり、コスト削減及び配置スペースの低減に伴うカメラの小型化が可能となる。また、このような構成の場合には、第１及び第２の測色用測光手段は、一眼レフカメラのトラピゾイドプリズムの接眼光学系側の左右位置にそれぞれ配置することが可能であり、この種のカメラへの本発明の適用が可能になる。
【０００８】
本発明においては、前記定常光測光手段、第１及び第２の測色用測光手段はそれぞれカメラの撮影レンズを透過した光を測光する構成とされる。この場合、被写体を照明する外部光源を測光するための光源測光用手段を備え、前記光源測光用手段の測光出力に基づいて前記測色用測光手段の測光出力の補正を行うようにすることが好ましい。
【０００９】
また、本発明においては、前記定常光測光手段、第１及び第２の測色用測光手段は、それぞれ測光面が複数の測光エリアに分割され、前記測光補正値算出手段は前記各測光エリアごとに前記被写体の色を判定し、かつ判定した色に基づいて前記測光補正値を算出し、かつ前記露出量決定手段は前記各測光エリアの各測光補正値に基づいて各測光エリアの前記定常光測光手段の測光値を補正し、補正された前記測光値に基づいて適正露出量を決定する構成とすることが好ましい。この場合において、前記露出量決定手段は、前記各測光エリア毎に補正された測光値に基づき、任意のアルゴリズムによる分割測光により前記適正な露出量を決定する機能、前記各測光エリア毎に補正された測光値を平均化した平均測光により前記適正な露出量を決定する機能、前記各測光エリア毎に補正された測光値のうち、被写体画面の中央領域の測光値に重み付け処理を行った中央重点測光により前記適正な露出量を決定する機能、または前記各測光エリア毎に補正された測光値のうち、被写体画面の特定領域の測光値に基づいたスポット測光により前記適正な露出量を決定する機能の少なくとも一つを備える構成とする。このように、測光エリア毎の測色、測光補正を行うことで、種々の被写体に対しても適正露出を得ることが可能になる。
【００１０】
【発明の実施の形態】
次に、本発明の実施形態を図面を参照して説明する。図１は本発明をレンズ交換式一眼レフカメラの測光装置に適用した第１の実施形態の模式的な斜視図、図２はその要部の側面構成図であり、撮影レンズ２が着脱されるカメラボディ１内には、クイックリターンミラー３、ピントグラス４、ペンタプリズム（又はペンタミラー）５、及び接眼光学系６が内装されている。前記クイックリターンミラー３の一部はハーフミラー部３ａとして構成され、撮影レンズ２で結像される被写体光の一部を前記ハーフミラー部３ａを透過し、かつ補助反射ミラー７で反射して測距装置８に導いている。この測距装置はＡＦ（自動焦点）制御を行うために用いられる。また、前記ペンタプリズム５には、後述するように、前記接眼光学系６側の面の３箇所に合計３個の測光素子として機能する測光センサ９が配設されており、それぞれ前記撮影レンズ２により結像される被写体光の一部を受光し、かつ測光を行うように構成される。また、カメラボディ１の正面の一部には窓１ａが開口されており、前記窓１ａの内側に一つの測光素子である光源測光用センサ１２と、その前面に乳白色の拡散板１３が配設されており、カメラボディ１の外部の光源、すなわち被写体を照明している外部光源を受光し、かつ測光するように構成される。さらに、前記撮影レンズ２とカメラボディ１とは電気接点部１０を介して相互に電気接続されており、前記撮影レンズ２に内蔵されているレンズＲＯＭ１１は、前記カメラボディ１に内蔵されているＣＰＵで構成される制御回路２０に電気接続されている。前記カメラボディ１の外面にはＬＣＤ（液晶）表示器２１、レリーズボタン２２、及び測光モード切替スイッチ２８を含む各種操作ボタンが設けられる。なお、カメラボディ１内に設けられているフィルムの巻上げ機構を始めとする他のカメラ機構については、ここでは説明を省略する。
【００１１】
前記３個の測光センサ９は、図３（ａ）にカメラ背面側から見た図を示すように、前記ペンタプリズム５の接眼受光系側の上部中央に配置された１個の測光センサ９Ｄと、下側の左右端にそれぞれ１個ずつ配置された２個の測光センサ９Ｇ，９Ｂとで構成されている。前記各測光センサ９Ｄ，９Ｇ，９ＢはＦＰＣ（フレキシブルプリント回路基板）９１に搭載されて前記各位置に固定支持されており、かつ各測光センサ９Ｄ，９Ｇ，９Ｂの前面に配置された集光レンズ９２によってそれぞれ被写体像を各測光センサ９Ｄ，９Ｇ，９Ｂの測光面に結像するように構成されている。また、前記各測光センサ９Ｄ，９Ｇ，９Ｂは、それぞれ図４（ａ）のように、被写体画面を複数の領域、ここでは中心領域Ａ０、その左右領域Ａ１，Ａ２、上下領域Ａ３，Ａ４、さらに四周囲領域Ａ５の６つの測光エリアに区画し、測光面が前記各測光エリアＡ０〜Ａ５に対応して分離形成されてアンプＡＭＰと一体に形成されたプレーナ構造の測光ＩＣチップとして形成されている。そして、図４（ｂ）に示すように、各測光エリアＡ０〜Ａ５に結像した被写体からの反射光量を測光するように構成される。その上で、前記測光センサ９Ｇは測光面に緑色のフィルタが配設されて緑色光を主体に受光するＧ用の測光センサとして、他の１つの測光センサ９Ｂは測光面に青色のフィルタが配設されて青色光を主体に受光するＢ用の測光センサとしてそれぞれ構成されている。ここで前記２つのＧ用、Ｂ用の各測光センサ９Ｇ，９Ｂは測色素子（測色センサ）として構成されており、各測光センサに配設されている緑色、青色のフィルタの分光透過率特性は、ここでは図５（ａ）に示す特性のものが用いられており、それぞれ、ほぼ５４０ｎｍ、４２０ｎｍに透過率ピークを有している。なお、他の測光センサ９Ｄには色フィルタは配設されていないが、視感度補正フィルタによりその分光受光特性は、５００〜６００ｎｍの範囲に感度ピークを有する視感度分布特性に近い特性に設定され、定常光を測光する定常光用測光素子としての定常光用測光センサとして構成されている。
【００１２】
図６は前記カメラの主要部の回路構成を示すブロック回路図である。前記３つの測光センサ９Ｄ，９Ｇ，９Ｂは制御回路２０に対して、定常光とＧ，Ｂの各色光を測光した測光値を出力する。また、前記光源測光用センサ１２は、前記３つの測光センサ９Ｄ，９Ｇ，９Ｂと同様に制御回路２０に接続され、被写体を照明している外部光源を測光して測光値を前記制御回路２０に出力する。また、前記測距装置８の出力を測距値として前記制御回路２０に出力し、ＡＦ装置２５による自動焦点制御を実行させる。一方、前記制御装置２０には、前記レリーズボタン２２の半押し、全押しに追従して順序的にオン動作される測光スイッチＳＷＳ、及びシャッタレリーズスイッチＳＷＲからのスイッチ情報信号が入力され、レリーズボタン２２の半押しによってオンする測光スイッチＳＷＳからのスイッチ情報信号が入力されたときに、所要のアルゴリズムでの測光演算を行い、この演算に基づいて露出値を算出する。この測光演算に際しては、測光モード切替スイッチ２８で切り替えられた測光モードの演算が実行される。そして、この算出した露出値に基づいて露出制御装置２３を制御し、撮影を実行する。また、算出した露出値は、表示ドライバ２４を駆動して前記ＬＣＤ表示器２１に表示する。なお、前記制御回路２０内には、後述する測光演算に必要とされる各種の値を予め記憶しているＥＥＰＲＯＭ（電気的に書き換え可能なＲＯＭ）２６と、一時的に各種データを記憶するＲＡＭ２７が内蔵されている。
【００１３】
以上の構成のカメラにおける測光装置の測光動作を説明する。図７は前記光源測光用センサ１２の出力を利用していない第１の実施形態、及び後述するように光源測光用センサ１２の出力を利用する第２の実施形態を含むフローチャートの対照表であり、以下、この対照表を参照して説明する。先ず、図８はフローＦ１としての測光動作のゼネラルフローチャートであり、このゼネラルフローチャートを用いて測光の全体の流れを説明する。ステップＳ１１においてレリーズボタン２２の半押しによりオンされる測光スイッチＳＷＳのオンを確認すると、レンズ通信処理Ｓ１２を実行し、制御回路２０はカメラボディ１に装着されている撮影レンズ２の固有情報を取り込む。この固有情報は撮影レンズ２の開放絞りやレンズ焦点距離等のように、撮影レンズ２の種類に応じて測光演算に影響を与える固有の情報として、撮影レンズ２に内蔵のレンズＲＯＭ１１から電気接点部１０を介して入力される。次いで、測光センサ出力Ｂｖｄ演算処理Ｓ１３を実行する。この測光センサ出力Ｂｖｄ演算処理Ｓ１３では、撮影レンズ２及びカメラボディ１内のクイックリターンミラー３、ペンタプリズム５を通して前記各測光センサ９（９Ｄ，９Ｇ，９Ｂ）で測光して得られるアナログデータの測光値を、制御回路２０での演算に用いることが可能なデジタルデータの測光値Ｂｖｄに変換演算する。次いで、前記測光センサ出力Ｂｖｄ演算処理Ｓ１３で得られた測光値Ｂｖｄと、レンズ通信処理Ｓ１２で取り込んだ前記撮影レンズ２の固有情報とを用いて開放測光補正演算処理Ｓ１４を実行し、撮影レンズ２の違いによる測光誤差を無くす。
【００１４】
次いで、前記測光センサ出力Ｂｖｄ演算処理Ｓ１３で得られたＧ，Ｂの各色用測光センサの測光値Ｂｖｄに基づいて測色処理Ｓ１５を行い、被写体の色を測色する。そして、測色処理Ｓ１５で測色した被写体色に基づいて測色補正値演算処理Ｓ１６を行い、測色補正値ＣＣを算出する。しかる上で、露出値（Ｌｖｄ）演算処理Ｓ１７において、前記測光センサ出力Ｂｖｄ演算処理Ｓ１３で得られた定常光用測光センサ９Ｄでの測光値Ｂｖｄを前記測色補正値演算処理Ｓ１６で得られた測色補正値ＣＣにより補正した上で露出値Ｌｖｄを算出する。しかる後、レリーズスイッチＳＷＲのオンを確認すると（Ｓ１８）、ステップＳ１７で得られた露出値Ｌｖｄに基づいて露出制御装置２３が露出制御を行い（Ｓ２０）、カメラでの撮影を実行する。なお、レリーズスイッチＳＷＲがオンされないときには、測光タイマのＯＦＦを検出し（Ｓ１９）、測光タイマにより所定時間が経過するまでは前記ステップＳ１２以降のフローを繰り返し、所定時間が経過したときには、ステップＳ１１に戻る。
【００１５】
以下、第１の実施形態における前記ゼネラルフローチャートの各処理を個々に説明する。先ず、レンズ通信処理Ｓ１２のフローチャート（フローＦ２）を図９に示す。レンズ通信処理Ｓ１２では、測光スイッチＳＷＳのオンを制御回路２０が検出すると、電気接点部１０を介して撮影レンズ２のレンズＲＯＭ１１に対してアクセスし、当該レンズＲＯＭ１１に記憶されている撮影レンズ２の固有情報を読み出し（Ｓ１０１）、制御回路２０のＲＡＭ２７に格納する。ここで、撮影レンズの固有情報としては、「レンズ種類」，「レンズデータ」，「最短撮影距離」，「撮影距離」，「レンズ焦点距離」，「射出瞳位置」，「開放Ｆナンバー」，「開口効率」等のデータがレンズＲＯＭ１１に記憶されており、この実施形態では前記制御回路２０はこれらの情報のうち、少なくとも「レンズ焦点距離」，「射出瞳位置」，「開放絞り」，「開口効率」を読み出してＲＡＭ２７に記憶する。
【００１６】
前記測光センサ出力Ｂｖｄ演算処理Ｓ１３のフローチャート（フローＦ３Ａ）を図１０に示す。この測光センサ出力Ｂｖｄ演算処理Ｓ１３では、先ず、前記３個の測光センサ９Ｄ，９Ｇ，９Ｂのうち、定常光用測光素子としての定常光用測光センサ９Ｄにおける、図４に示した各測光エリアＡｉ（ｉ＝０〜５）のそれぞれの出力電圧値（アナログデータ）をＡ／Ｄ変換した値Ｂｖａｄ〔ｉ〕として得る。そして、前記定常光用測光センサ９ＤのＡ／Ｄ変換値Ｂｖａｄ〔ｉ〕を輝度に応じた測光値Ｂｖｄ（ｉ）に調整する（ステップＳ１１１）。また、測色素子としての、他の２個のＧ，Ｂ用の各測光センサ９Ｇ，９Ｂの各測光エリアＡｉ（ｉ＝０〜５）のそれぞれの出力電圧値（アナログデータ）をそれぞれＡ／Ｄ変換したＢｖａｄ・ｇ〔ｉ〕、Ｂｖａｄ・ｂ〔ｉ〕を得る。そして、これら２個のＧ，Ｂ用の各測光センサ９Ｇ，９ＢのＡ／Ｄ変換値Ｂｖａｄ・ｇ〔ｉ〕、Ｂｖａｄ・ｂ〔ｉ〕もそれぞれ輝度に応じた測光値Ｂｖｄ・ｇ〔ｉ〕、Ｂｖｄ・ｂ〔ｉ〕に調整する（Ｓ１１２）。なお、前記ステップＳ１１１，Ｓ１１２におけるＡ／Ｄ変換は、各出力電圧値（アナログデータ）を検出レベルに対応したデジタルデータに変換するという、通常行われているＡ／Ｄ変換技術が適用される。
【００１７】
前記開放測光補正演算処理Ｓ１４のフローチャート（フローＦ４）を図１２に示す。前記レンズ通信処理Ｓ１２において、撮影レンズ２のレンズＲＯＭ１１から読み出して制御回路２０のＲＡＭ２７に記憶した「レンズ焦点距離」，「射出瞳位置」，「開放絞り」，「開口効率」に基づいて、開放測光補正値Ｍｎｄ１〔ｉ〕を算出する（Ｓ１２１）。この開放測光補正値Ｍｎｄ１〔ｉ〕の算出方法は、本願出願人が先に特開昭６３−２７１２３９号公報で提案しているところであるが、簡単に説明すれば、個々のカメラボディ毎の光学特性の違いと、前記「レンズ焦点距離」，「射出瞳位置」，「開放絞り」，「開口効率」のそれぞれとの違いに起因する基準測光値からのずれ量を補正するための補正値ｍｖ１，ｍｖ２，ｍｖ３，ｍｖ４をそれぞれ計算し、これらの補正値の総和ｍｖ１＋ｍｖ２＋ｍｖ３＋ｍｖ４を開放測光補正値Ｍｎｄ１〔ｉ〕とする。また、この開放測光補正値Ｍｎｄ１〔ｉ〕は、測光センサ９Ｇ，９Ｂに対応して、それぞれＭｎｄ１・ｇ〔ｉ〕、Ｍｎｄ１・ｂ〔ｉ〕とする。
【００１８】
しかる上で、前記測光センサ出力Ｂｖｄ演算処理Ｓ１３で得られた測光値Ｂｖｄ〔ｉ〕に前記開放測光補正値Ｍｎｄ１〔ｉ〕を加算し、その加算結果を新たな測光値Ｂｖｄ〔ｉ〕とする。すなわち、
Ｂｖｄ〔ｉ〕＝Ｂｖｄ〔ｉ〕＋Ｍｎｄ１〔ｉ〕
の演算を行う（Ｓ１２１）。同様に、測光センサ出力Ｂｖｄ演算処理Ｓ１３で得られたＧ，Ｂ用の各測光センサ９Ｇ，９Ｂの測光値Ｂｖｄ・ｇ〔ｉ〕、Ｂｖｄ・ｂ〔ｉ〕に対しても、それぞれ開放測光補正値Ｍｎｄ１・ｇ〔ｉ〕、Ｍｎｄ１・ｂ〔ｉ〕を加算し、それぞれを新たな測光値とする。すなわち、
Ｂｖｄ・ｇ〔ｉ〕＝Ｂｖｄ・ｇ〔ｉ〕＋Ｍｎｄ１・ｇ〔ｉ〕
Ｂｖｄ・ｂ〔ｉ〕＝Ｂｖｄ・ｂ〔ｉ〕＋Ｍｎｄ１・ｂ〔ｉ〕
の演算を行う。この結果、各測光値はそれぞれ、撮影レンズ２とカメラボディ１との組合せによって生じる各撮影レンズ２の個体差による測光値への影響が解消された測光値となる（Ｓ１２２）。
【００１９】
前記測色処理Ｓ１５のフローチャート（フローＦ５）を図１３に示す。この測色処理Ｓ１５では、前記したように被写体の色を測色するとともに、測色した色に基づく測色補正値ＣＣを算出する。この測色処理Ｓ１５は、測色パラメータの初期化を行った後（Ｓ２１）、被写体を照明している光源の色温度等によって測色値が相違するため、この光源の影響を無くすための補正値を得るための光源補正値演算処理Ｓ２２と、得られた光源補正値により補正処理を行う光源差補正処理Ｓ２３と、後工程の測色演算で用いるための測色パラメータを得るための測色パラメータ算出処理Ｓ２４と、測色で使用する定数を設定するための測色定数設定処理Ｓ２５と、前記各処理で得られた補正値、パラメータ、定数に基づいて測色判定を行なう測色判定処理Ｓ２６とを順序的に実行するフローとなっている。
【００２０】
次に、前記測色処理Ｓ１５の図１３に示した前記各処理Ｓ２２〜Ｓ２６について説明する。前記光源補正値演算処理Ｓ２２のフローチャート（フローＦ６Ａ）を図１４に示す。この光源補正値演算処理Ｓ２２は測光センサ９のＢｖｄ値を基準設定する際に調整用光源（Ａ光源）を使用しているため、実際に撮影を行う光源、主に太陽光を受光した場合におけるＢｖｄ値のずれを補正する補正値を演算するためのものである。ここでは、Ｇ（緑色）を基準にして、Ｇに対するＢ（青色）の相対的な光源補正値を求めている。先ず、Ｇ，Ｂについて、光源データＢｖｄ・ｌｉｇｈｔ・ｇ、Ｂｖｄ・ｌｉｇｈｔ・ｂを制御回路２０のＥＥＰＲＯＭ２６から読み込む（Ｓ１４１）。ついで、Ｇを基準としたときのＢ用の測光センサ９Ｂの光源調整値ａｄｊ・ｓｕｎ・ｂをＥＥＰＲＯＭ２６から読み出す（Ｓ１４２）。ここで、前記Ｂ用の光源調整値は次の通りである。
ａｄｊ・ｓｕｎ・ｂ＝＋８
ただし、前記した測光センサ９の調整をＡ光源ではなく、太陽光相当の光源で行った場合には、前記光源調整値は「０」となる。
【００２１】
しかる上で、前記光源データと光源調整値とから、Ｂ用の測光センサ９Ｂの光源補正値ｌｉｇｈｔ・ｇｂを、
ｌｉｇｈｔ・ｇｂ＝Ｂｖｄ・ｌｉｇｈｔ・ｇ−Ｂｖｄ・ｌｉｇｈｔ・ｂ＋ａｄｊ・ｓｕｎ・ｂ
の式から求める。
これにより、Ｂの光源補正値ｌｉｇｈｔ・ｇｂが求められる（Ｓ１４３）。
【００２２】
前記光源差補正処理Ｓ２３のフローチャート（フローＦ７）を図１６に示す。ここでは、前記光源補正値演算処理Ｓ２２で求められたＢの光源補正値に基づいて、Ｂ用測光センサ９Ｂの各測光エリアＡ０〜Ａ５でそれぞれ測光して得られる測光値Ｂｖｄ・ｂ〔ｉ〕（ｉ＝０〜５）について光源差補正を行う。すなわち、Ｂ用測光センサ９Ｂの各測光エリアについて、
Ｂｖｄ・ｂ〔ｉ〕＝Ｂｖｄ・ｂ〔ｉ〕＋ｌｉｇｈｔ・ｇｂ
を計算する（Ｓ１５１）。これにより、Ｂ用の測光センサ９Ｂの測光出力に補正が加えられることになり、Ｇ，Ｂ用の各測光センサ９Ｇ，９Ｂの各測光出力は、太陽光に対して等しい測光特性に基準化される。
【００２３】
前記測色パラメータ算出処理Ｓ２４のフローチャート（フローＦ８）を図１７に示す。ここでは、光源差補正された各測光センサの出力から、後の処理フローでの測色判定で使用する測色パラメータを算出する。測色パラメータとして、Ｇ用の測光センサ９Ｇの測光出力Ｂｖｄ・ｇ〔ｉ〕を基準にしたＢ用の測色パラメータＢｆ〔ｉ〕が算出される（Ｓ１６１）。算出式は次の通りである。
Ｂｆ〔ｉ〕＝Ｂｖｄ・ｂ〔ｉ〕−Ｂｖｄ・ｇ〔ｉ〕
（ｉ＝０〜５）
【００２４】
前記測色定数設定処理Ｓ２５のフローチャート（フローＦ９）を図１８に示す。ここでは、後の処理フローでの測色判定で使用する測色定数をＥＥＰＲＯＭ２６から読み出す。測色定数としては、測色判定用しきい値、測色補正値ＣＣ算出用係数、測色補正値ＣＣ算出用調整値である。各値は次の通りである。
測色判定用しきい値：判定値・ｂ１〔ｉ〕、判定値・ｙ１〔ｉ〕
測色補正値ＣＣ算出用係数：ＣＣ係数・ｂ１〔ｉ〕、ＣＣ係数・ｙ１〔ｉ〕
測色補正値ＣＣ算出用調整値：ＣＣ調整値・ｂ１〔ｉ〕、ＣＣ調整値・ｙ１・〔ｉ〕
なお、ｂ１は青色、ｙ１は青色の補色としての黄色を示すものである。また、この処理においては、各測光センサの各測光エリアＡ０〜Ａ５のそれぞについて測色定数を設定しており、したがって、その処理フローとしては、最初にｉ＝０に設定し（Ｓ１７１）、前記各設定値をＥＥＰＲＯＭ２６から読み出した上で（Ｓ１７３〜Ｓ１７５）、ｉを１加算する演算（ｉ＝ｉ＋１）を行い（Ｓ１７６）、同様にｉ＝５に達するまで繰り返し読み出す（Ｓ１７２）。なお、この読み出した値は制御回路２０のＲＡＭ２７に記憶する。前記した各種定数の一例を同図の表に示す。
【００２５】
前記測色判定処理Ｓ２６を図１９のフローチャート（フローＦ１０）に基づいて説明する。この測色判定処理Ｓ２６では、Ｇ，Ｂ用の各測光センサ９Ｇ，９Ｂの各対応する測光エリアＡ０〜Ａ５毎に測色を行っており、結果として各測光エリアＡ０〜Ａ５で測光した被写体の色を判定している。先ず、ｉ＝０に設定し（Ｓ１８１）、以後ｉ＝５に達するまで（Ｓ１８２）、フローを繰り返す。先ず、色パラメータの色〔ｉ〕を無色とした上で（Ｓ１８３）、Ｂｆ〔ｉ〕＞判定値・ｂ１〔ｉ〕を判断する（Ｓ１８４）。条件を満たすときには、色〔ｉ〕＝青色とする（Ｓ１８５）。前記条件を満たさないときには、Ｂｆ〔ｉ〕＜判定値・ｙ１〔ｉ〕を判断する（Ｓ１８６）。条件を満たすときには、色〔ｉ〕＝黄色とする（Ｓ１８７）。前記条件を満たさないときには、ｉ＝ｉ＋１とし（Ｓ１８８）、前記ステップＳ１８２以降を再度実行する。このフローを前記したようにｉ＝０〜５まで行うことで、各測光エリアＡ０〜Ａ５についてそれぞれ色〔ｉ〕が無色、青色、黄色に判定される。
【００２６】
そして、得られた色〔ｉ〕に基づいて、測色補正値演算処理Ｓ１６を実行する。この測色補正値演算処理Ｓ１６は、判定された各測光エリアの色に基づいて、各測光エリア毎の被写体色の相違による測色補正値ＣＣ〔ｉ〕を演算するものであり、図２０にフローチャート（フローＦ１１）を示す。ここでは、測色補正値ＣＣ〔ｉ〕を予め設定した値を選択する場合を示している。すなわち、ｉ＝０に設定し（Ｓ２２１）、以後ｉ＝５に達するまで、フローを繰り返す（Ｓ２２２）。先ず、色〔ｉ〕＝無色であるかを判断し（Ｓ２２３）、条件を満たすときにはＣＣ〔ｉ〕＝０とする（Ｓ２２４）。条件を満たさないときには、色〔ｉ〕＝青色であるかを判断し（Ｓ２２５）、条件を満たすときにはＣＣ〔ｉ〕＝Ｂとする（Ｓ２２６）。条件を満たさないときには、色〔ｉ〕＝黄色であるかを判断し（Ｓ２２７）、条件を満たすときにはＣＣ〔ｉ〕＝Ｙとする（Ｓ２２８）。しかる後、ｉを１加算し（Ｓ２２９）、ステップＳ２２２に戻る。このフローをｉ＝０〜５まで繰り返すことで、各測光エリアＡ０〜Ａ５における測色補正値ＣＣ〔ｉ〕がそれぞれ０、Ｂ、Ｙのいずれかにされる。そして、このようにして得られた測色補正値ＣＣ〔ｉ〕を、同図の表に示すＢとＹの値を採用することで、色〔ｉ〕が無色、青色、黄色における各測色補正値ＣＣ〔ｉ〕を得ることができる。
【００２７】
一方、前記測色補正値演算処理Ｓ１６として、図２１のフローチャート（フローＦ１２）に示すように、演算により測色補正値ＣＣ〔ｉ〕を求めるようにしてもよい。この場合には、ｉ＝０に設定し（Ｓ２２１）、以後ｉ＝５に達するまで、フローを繰り返す（Ｓ２２２）。先ず、色〔ｉ〕＝無色であるかを判断し（Ｓ２２３）、条件を満たすときにはＣＣ〔ｉ〕＝０とする（Ｓ２２４）。条件を満たさないときには、色〔ｉ〕＝青色であるかを判断し（Ｓ２２５）、青色と判断されたときには、次式でＣＣ〔ｉ〕を演算する（Ｓ２３１）。
ＣＣ〔ｉ〕＝ＣＣ係数・ｂ１〔ｉ〕×（Ｂｆ〔ｉ〕−判定値・ｂ１〔ｉ〕）＋ＣＣ調整値・ｂ１〔ｉ〕
条件を満たさないときには、色〔ｉ〕＝黄色であるかを判断し（Ｓ２２７）、黄色と判断されたときには、次式でＣＣ〔ｉ〕を演算する（Ｓ２３２）。
ＣＣ〔ｉ〕＝ＣＣ係数・ｙ１〔ｉ〕×（Ｂｆ〔ｉ〕−判定値・ｙ１〔ｉ〕）＋ＣＣ調整値・ｙ１〔ｉ〕
しかる後、ｉを１加算し（Ｓ２２９）、ステップＳ２２２に戻る。このフローをｉ＝０〜５まで繰り返すことで、各測光エリアＡ０〜Ａ５における測色補正値ＣＣ〔ｉ〕がそれぞれ演算され、色〔ｉ〕が無色、青色、黄色の各測色補正値ＣＣ〔ｉ〕を得ることができる。
【００２８】
その上で、図７のゼネラルフローに示した露出値（Ｌｖｄ）演算処理Ｓ１７を行う。この露出値演算処理Ｓ１７のフローチャート（フローＦ１３）を図２２に示す。この処理では、前記測光センサ出力Ｂｖｄ演算処理Ｓ１３で得られ、前記開放測光補正演算処理Ｓ１４で補正された定常光用測光センサ９Ｄの各測光エリアＡ０〜Ａ５の各測光値Ｂｖｄ〔ｉ〕に対し、実際に撮影を行う際の条件によって測光値を補正し、この補正により適正な露出値Ｌｖｄを得るための処理である。ここでは、測光エリアＡ０〜Ａ５の各測光値Ｂｖｄ〔ｉ〕を相互に比較し、あるいは総体的に検出することで、撮影する状態が、逆光撮影、夕暮れ撮影、夜景撮影等のいずれの状態の蓋然性が高いものであるかを判定し、その判定結果に基づいて各測光値Ｂｖｄ〔ｉ〕に対して重み付けを行い、あるいは一つの測光値のみを採用する等の手法により、当該撮影状態に好適な露出値Ｌｖｄとして演算する処理である。
【００２９】
先ず、測色補正測光値演算（Ｓ１３１）において、前記各測光エリアＡ０〜Ａ５の前記した各測光値Ｂｖｄ〔ｉ〕に対して、前記各測光エリアＡ０〜Ａ５の各測色結果から得られたそれぞれの測色補正値ＣＣ〔ｉ〕を加算し、各測光エリアＡ０〜Ａ５毎の測色補正された測色補正測光値Ｂｖｄ〔ｉ〕を得る。
Ｂｖｄ〔ｉ〕＝Ｂｖｄ〔ｉ〕＋ＣＣ〔ｉ〕
その上で、測光モード切替スイッチ２８の設定を読み込み、測光モードフラグを設定する（Ｓ１３２）。この測光モードとしては、前記測光モード切替スイッチ２８により、分割測光Ｌｖｄ算出、平均測光Ｌｖｄ算出、中央重点測光Ｌｖｄ算出、スポット測光（最大値）Ｌｖｄ算出をそれぞれ切替設定できるようにされており、各算出処理に切替設定されたときに、当該切り替えられた算出処理に対応するフラグを設定する。次いで、露出値決定演算処理（Ｓ１３３）において、前記測光モードフラグに基づいて露出値Ｌｖｄを決定するための演算を行う。
【００３０】
前記露出値決定演算処理（Ｓ１３３）は、図２３にフローチャート（フローＦ１４）を示すように、測光モードフラグをチェックして、測光モード切替スイッチ２８により設定されている測光モードを検出した上で（Ｓ３０１）、測光エリアＡ０〜Ａ５の各測色補正測光値Ｂｖｄ〔ｉ〕から、分割測光Ｌｖｄ算出（Ｓ３０２）、平均測光Ｌｖｄ算出（Ｓ３０３）、中央重点測光Ｌｖｄ算出（Ｓ３０４）、スポット測光Ｌｖｄ算出（Ｓ３０５）のいずれかによってカメラとしての露出値Ｌｖｄを算出する。
【００３１】
前記分割測光Ｌｖｄ算出（Ｓ３０２）では、前処理までに得られた測色補正測光値Ｂｖｄ〔ｉ〕に基づき、任意のアルゴリズムにより露出値Ｌｖｄを算出する。すなわち、図２４にフローチャート（フローＦ１５）を示すように、先ず、定常光用測光センサ９Ｄの各測光エリアＡ０〜Ａ５の各演算した前記測色補正測光値Ｂｖｄ〔ｉ〕から、露出値Ｌｖｄ演算用のパラメータを算出する（Ｓ３１１）。次いで、パラメータの高輝度リミット（Ｓ３１２）、逆光判定（Ｓ３１３）、重み付けパラメータ算出（Ｓ３１４）、撮影倍率チェック（Ｓ３１５）、撮影シーン判定（Ｓ３１６）、撮影シーン高輝度時プラス補正（Ｓ３１７）についてそれぞれの補正を実行する。この結果、前記アルゴリズムに基づいてＬｖｄが決定される（Ｓ３１８）。
【００３２】
また、平均測光Ｌｖｄ算出（Ｓ３０３）は、図２３に示したように、測光エリアＡ０〜Ａ５の各測色補正測光値Ｂｖｄ〔ｉ〕の単純平均から露出値Ｌｖｄを演算するものであり、
Ｌｖｄ＝（Ｂｖｄ〔０〕＋Ｂｖｄ〔１〕＋Ｂｖｄ〔２〕＋Ｂｖｄ〔３〕＋Ｂｖｄ〔４〕＋Ｂｖｄ〔５〕）÷６
で求められる。
【００３３】
また、中央重点測光Ｌｖｄ算出（Ｓ３０４）は、画面の中央領域の重み付けを大きくする処理であり、
Ｌｖｄ＝［（Ｂｖｄ〔０〕×４）＋Ｂｖｄ〔５〕＋（Ｂｖｄ〔１〕＋Ｂｖｄ〔２〕＋Ｂｖｄ〔３〕＋Ｂｖｄ〔４〕）×３÷４］÷８
で求められる。
【００３４】
さらに、スポット測光Ｌｖｄ算出（Ｓ３０５）においては、測色補正測光値Ｂｖｄ〔ｉ〕のうち、最も大きな値のものを選択して露出値Ｌｖｄとする最大値測光がある。すなわち、
Ｌｖｄ＝ｍａｘ（Ｂｖｄ〔０〕，Ｂｖｄ〔１〕，Ｂｖｄ〔２〕，Ｂｖｄ〔３〕，Ｂｖｄ〔４〕，Ｂｖｄ〔５〕）
である。あるいは、画面の中央の測光エリアＡ０の測光値をそのまま露出値Ｌｖｄとしてもよい。
Ｌｖｄ＝Ｂｖｄ〔０〕
【００３５】
なお、前記分割測光、中央重点測光、およびスポット測光の各Ｌｖｄ算出においては、図４（ｂ）に示した測光エリアＡ０〜Ａ５のうち、合焦検出のためにマルチ構成の測距装置８で測距を行う複数の測距点、ここでは３つの測距点Ｐ０，Ｐ１，Ｐ２が存在する測光エリアＡ０，Ａ１，Ａ２の測色補正後の測光値の重み付けを大きくした演算、あるいはいずれかの測色補正後の測光値を選択するようにしてもよく、マルチ構成の測距装置８において焦点が合致された被写体領域情報に重み付けを大きくした演算がなされた測色補正後の測光値、あるいは、合焦領域のみによる測色補正後の測光値を得ることも可能である。
【００３６】
以上のように、露出値Ｌｖｄを算出し、この算出された露出値Ｌｖｄに基づいて、図外の露出制御装置において、カメラの露出制御を行うことにより、被写体の色の違い、換言すれば被写体の反射率の違いにかかわらず、反射率の影響を低減し、適正露出での撮影が可能となる。特に、測色測光手段の測光出力により被写体の色として黄色を判定したときには露出補正量を露出オーバ方向に決定し、青色を判定したときには露出補正量を露出アンダー方向に決定することで、従来において特に顕著な問題となっていたこれらの色間の反射率の違いによる露出誤差を解消することが可能となる。また、本発明においては、定常光測光用の測光センサ及び複数の測色用の各測光センサの各測光面を複数の測光エリアに分割し、これらの分割した各測光エリア毎に測光し、かつ補正した測光値に基づいて露出値の演算を行うことにより、被写体の色が一の色に偏っている場合、あるいは多色で構成される場合のいずれの場合でも適正な露出値の決定が可能となる。
【００３７】
以上の第１の実施形態では、測色を行う２つの測光センサ９Ｇ，９Ｂをカメラ内に配置し、撮影レンズを透過した被写体光を測光して測色を行う方式、いわゆるＴＴＬ方式での測色構造がとられているため、被写体の分光反射特性と外部光源の分光放射特性とが重畳される。そのため、被写体を実際に照明している外部光源の分光放射特性の影響により、被写体の色を測色した際に、測色により得られる露出の補正量に誤差が生じ、適正露出を得ることが難しいこともある。そこで、本発明の第２の実施形態では、前記光源測光用センサ１２の測光出力を利用して外部光源の分光放射特性を独立して測定し、測光結果に対して外部光源の分光放射特性の補正を行うことでより適正な露出を得ている。
【００３８】
すなわち、図１及び図２に示した光源測光用センサ１２を利用する。前記光源測光用センサ１２は、図４（ａ）に示した前記測光センサ９（９Ｄ，９Ｇ，９Ｂ）と同じ測光ＩＣチップで構成されており、測光エリアＡ０〜Ａ５のうち、測光エリアＡ０，Ａ１のみを利用している。そして、図示は省略するが、測光エリアＡ０の前面には緑色のフィルタを配設して緑色部を構成し、測光エリアＡ１の前面には青色のフィルタを配設して青色部を構成している。ここで、前記緑色フィルタ、青色フィルタは、図５（ａ）に示したような、前記各測光センサ９Ｇ，９Ｂに配設している各フィルタと同一の分光透過率特性のものが用いられている。したがって、光源測光用センサ１２は、各測光エリアＡ０，Ａ１のそれぞれにおいて、被写体を照明している外部光源をそれぞれ、緑色、青色の二色に分解して測光するように構成されている。ここで、それぞれのセンサを同じ測光ＩＣチップで構成していることは、分光感度、出力特性等を揃える意味と、共通化によるコストダウンの目的がある。また、それぞれのフィルタについて同一のものを用いるのは、特に分光感度特性を揃えることが目的である。
【００３９】
このように、第２の実施形態では、光源測光用センサ１２により外部光源を測光し、その測光値を利用して光源補正を行っており、図７に示した対照表を参照すると、図８のゼネラルフロー（フローＦ１）で示した測光センサ出力Ｂｖｄ演算処理Ｓ１３では図１１に示すフローチャート（フローＦ３Ｂ）の処理を実行し、図１３の測色処理Ｓ１５のフローＦ５中の光源補正値演算Ｓ２２では図１５に示すフローチャート（フローＦ６Ｂ）の処理を実行することになる。
【００４０】
すなわち、第２の実施形態の前記測光センサ出力Ｂｖｄ演算処理Ｓ１３の図１１に示すフローチャート（フローＦ３Ｂ）では、先ず第１の実施形態と同様に、前記３個の測光センサ９Ｄ，９Ｇ，９Ｂのうち、定常光測光素子としての定常光用測光センサ９Ｄにおける図４に示した各測光エリアＡｉ（ｉ＝０〜５）のそれぞれの出力電圧値（アナログデータ）をＡ／Ｄ変換した値Ｂｖａｄ〔ｉ〕として得る。そして、前記定常光用測光センサ９ＤのＡ／Ｄ変換値Ｂｖａｄ〔ｉ〕を輝度に応じた測光値Ｂｖｄ（ｉ）に調整する（ステップＳ１１１）。また、測色素子としての、他の２個のＧ，Ｂ用の各測光センサ９Ｇ，９Ｂの各測光エリアＡｉ（ｉ＝０〜５）のそれぞれの出力電圧値（アナログデータ）をそれぞれＡ／Ｄ変換したＢｖａｄ・ｇ〔ｉ〕、Ｂｖａｄ・ｂ〔ｉ〕を得る。そして、これら、他の２個のＧ，Ｂ用の各測光センサ９Ｇ，９ＢのＡ／Ｄ変換値Ｂｖａｄ・ｇ〔ｉ〕、Ｂｖａｄ・ｂ〔ｉ〕もそれぞれ輝度に応じた測光値Ｂｖｄ・ｇ〔ｉ〕、Ｂｖｄ・ｂ〔ｉ〕に調整する（Ｓ１１２）。さらに、光源測光用センサ１２の２つの測光エリアＡｉ（ｉ＝０〜１）のソレゾレの出力電圧値（アナログデータ）をＡ／Ｄ変換した値Ｂｖａｄ・ｗｂ〔ｉ〕として得る。そして、前記光源測光用センサ１２の２つのＡ／Ｄ変換値Ｂｖａｄ・ｗｂ〔ｉ〕もそれぞれ輝度に応じた測光値Ｂｖｄ・ｗｂ〔ｉ〕に調整する（Ｓ１１３）。なお、前記ステップＳ１１１，Ｓ１１２，Ｓ１１３におけるＡ／Ｄ変換は、各出力電圧値（アナログデータ）を検出レベルに対応したデジタルデータに変換するという、通常行われているＡ／Ｄ変換技術が適用される。
【００４１】
また、前記光源補正値演算処理Ｓ２３の図１５に示すフローチャート（フローＦ６Ｂ）では、測光センサ９のＢｖｄ値を基準設定する際に調整用光源（Ａ光源）を使用しているため、実際に撮影を行う光源、例えば太陽光等を受光した場合におけるＢｖｄ値のずれを補正するとともに、被写体を照明している外部光源の影響を除去するための補正を行う。第１の実施形態と同様に、Ｇを基準にして、Ｇに対するＢの相対的な光源補正値を求めて光源補正を行っている。先ず、光源測光用センサ１２の測光値に基づいて光源補正値を演算する。すなわち、図１１のフローＦ３ＢのステップＳ１１３で得た光源測光用センサ１２の各測光エリアＡ０，Ａ１から得られたＧ，Ｂについての測光値Ｂｖｄ・ｗｂ〔０〕、Ｂｖｄ・ｗｂ〔１〕を取り込む（Ｓ１４４）。次いで、Ｇを基準としたときのＢ用の測光センサ９Ｂの光源調整値ａｄｊ・ｓｕｎ・ｂをＥＥＰＲＯＭ２６から読み出す（Ｓ１４５）。Ｂ用の光源調整値の例は、
ａｄｊ・ｓｕｎ・ｂ＝＋８
である。
【００４２】
しかる上で、前記光源データと光源調整値とから、Ｂ用の測光センサ９Ｂの光源補正値ｌｉｇｈｔ・ｇｂを、
ｌｉｇｈｔ・ｇｂ＝Ｂｖｄ・ｗｂ〔０〕−Ｂｖｄ・ｗｂ〔１〕＋ａｄｊ・ｓｕｎ・ｂ
の式から求める。
これにより、Ｂ用の光源補正値ｌｉｇｈｔ・ｇｂが求められる（Ｓ１４６）。
【００４３】
以降の工程は、第１の実施形態と同様であるので、説明は省略する。このように、第２の実施形態では、被写体を実際に照明している外部光源の分光放射特性の影響を除去した測色を行うことになるので、実際に被写体を照明している外部光源の種類によらず、被写体の色を正確に測色することができ、測色により得られる露出の補正量を正確なものにでき、適正露出を得ることが可能になる。
【００４４】
ここで、前記各実施形態では、第１の測光手段としてＧ用の測光センサを用いているが、第２の測光手段の補色である黄色（Ｙ）用の測光センサとして構成してもよい。いずれにしても、第１の測光手段は５００ｎｍ以上の波長域に分光感度ピークを有し、第２の測光手段は５００ｎｍ以下の波長域に分光感度ピークを有するものであり、第１及び第２の測光手段が補色の関係にあれば、種々の組み合わせの測色用測光センサとして構成することが可能である。
【００４５】
また、前記各実施形態では、図３（ａ）に示したように、定常光用測光センサ９Ｄをペンタプリズム５の接眼光学系側の中央上部に配置しているので、被写体に対しては左右の中央位置に定常光用測光センサ９Ｄが位置されることになり、定常光用測光センサ９Ｄにおける測光感度分布を左右対称とし、測光の重要度の高い被写体中央部での測光精度を高いものにすることが可能である。すなわち、ペンタプリズム５の中央部では、撮影レンズ２の光軸とペンタプリズム５の接眼光学系６の光軸とのなす角度の差が小さくできるため、被写体の撮影画角をほぼ定常光用測光センサ９Ｄによって測光することが可能となるからである。
【００４６】
また、前記各実施形態では、定常光測光を行うための定常光用測光センサ９ＤをＢ，Ｇ用の各測光センサ９Ｂ，９Ｇとは別に独立した測光センサとして設けているが、視感度特性に近い定常光用測光センサ９Ｄの測光特性は、５４０ｎｍ近傍にピークを有するＧ用の測光センサ９Ｇの測光特性に近いので、図３（ｂ）に示すように、定常光用測光センサ９ＤをＧ用の測光センサ９Ｇで兼用してもよい。この場合には、図８に示したゼネラルフロー（フローＦ１）の処理Ｓ１１〜Ｓ１５については、Ｇ用の測光センサ９Ｇの測光出力Ｂｖａｄ・ｇをＢｖａｄに置き換えて演算を行えばよい。このように、定常光用測光センサ９ＤをＧ用の測光センサ９Ｇで構成することにより、測光装置を２つの測光センサで構成することが可能となり、ペンタプリズムの接眼光学系側に配置する測光センサの数を図３（ａ）の構成の場合に比較して１個低減することができ、コストの低減が図れるとともに、測光センサの配置スペースを低減してカメラボディの小型化が可能となる。
【００４７】
また、このように、Ｇ，Ｂ用の２つの測光センサのみで本発明が実現できるため、図２５に図２と同様の側面図を示すように、ペンタプリズムの接眼光学系６の中央上部の集光レンズ９２の背後にビームスプリッタ９３を配置し、このビームスプリッタで二分された各光をそれぞれＧ用の測光センサ９ＧとＢ用の測光センサ９Ｂで測光するようにしてもよい。これにより、前記した定常光用測光センサ９Ｄを配置した場合と同様に、撮影レンズ２の光軸とペンタプリズム５の接眼光学系６の光軸とのなす角度の差が小さくできるため、被写体のほぼ撮影画角を各測光センサ９Ｇ，９Ｂによって測光することが可能となる。また、この場合、ビームスプリッタ９３に、５００ｎｍ近辺にて透過率、反射率が変更される特性のものを利用すれば、各測光センサ９Ｇ，９Ｂに図５（ａ）に示したような分光特性のフィルタを設けなくとも、図５（ｂ）に示すように各測光センサ９Ｇ，９Ｂを所要の分光特性で測光を行うように構成することが可能になる。
【００４８】
さらに、Ｇ，Ｂ用の２つの測光センサのみで本発明を実現する場合には、図２６に示すように、接眼光学系にトラピゾイドプリズム５Ａを採用したカメラでは、当該接眼光学系の中央領域はファインダ視野に利用され、その両側領域以外に測光センサを配置する余裕がなく、結果として２つの測光センサしか配置できないようなカメラの場合でも、一側にＧ用の測光センサ９Ｇを配置し、他側にＢ用の測光センサ９Ｂを配置することにより、本発明の測光を実現することが可能になる。なお、同図の例では、トラピゾイドプリズム５Ａの接眼面の両側にそれぞれ反射プリズム或いは反射ミラー９４を配置し、これらの反射部材９４で反射された光をそれぞれ測光センサ９Ｇ，９Ｂで測光するように構成している。したがって、コストの低減が図れるとともに、測光センサの配置スペースを低減してカメラボディの小型化が可能となる。
【００４９】
【発明の効果】
以上説明したように本発明は、視感度特性に近い分光感度特性の定常光測光手段と、５００ｎｍ以上の緑色又は黄色の波長域に分光感度ピークを有する第１の測色用測光手段と、前記波長域よりも短い青色の波長域に分光感度ピークを有する第２の測色用測光手段と、前記第１及び第２の測色用測光手段の各測光出力を比較して被写体の色を判定し、かつ判定した色に基づいて測光補正値を算出する測光補正値算出手段と、前記定常光測光手段の測光出力に前記測光補正値を加味して適正露出量を決定する露出量決定手段とを備えているので、これら第１と第２の測色用測光手段により被写体の色を測色し、被写体の色の相違、すなわち被写体の反射率の相違にかかわらず、適正な露出を決定することが可能となる。特に、測色測光手段の測光出力により被写体の色として黄色を判定したときには露出補正量を露出オーバ方向に決定し、青色を判定したときには露出補正量を露出アンダー方向に決定することで、従来において特に顕著な問題となっていたこれらの色間の反射率の違いによる露出誤差を解消することが可能となる。
【００５０】
また、本発明では、測色手段として２つの測色用測光手段を備えるだけで良いので、定常光測光手段と合わせて３つの測光手段で測光装置が構成でき、コストの低減が図れるとともに、測光センサの配置スペースを低減してカメラボディの小型化が可能となる。さらに、本発明では、前記定常光測光手段を第１の測色用測光手段と兼用することで、測光装置全体の測光手段を第１及び第２の測色用測光手段のみで構成することが可能になり、測光手段の個数が低減でき、コスト削減及び配置スペースのさらなる低減によりカメラの小型化が可能となる。
【図面の簡単な説明】
【図１】本発明の測光装置を装備した一眼レフカメラの模式的な斜視図である。
【図２】図１のカメラの要部の側面構成図である。
【図３】ペンタプリズムを背面側から見た測光センサの配置状態を示す図である。
【図４】測光センサの分割した測光エリアを示す図である。
【図５】測光センサにおける分光感度特性を示す図である。
【図６】カメラ回路構成の概略ブロック図である。
【図７】本発明の測光装置の測光動作のフローチャートの対照表である。
【図８】本発明の測光装置の測光動作のゼネラルフローチャート（フローＦ１）である。
【図９】レンズ通信処理のフローチャート（フローＦ２）である。
【図１０】第１の実施形態における測光センサ出力Ｂｖｄ演算処理のフローチャート（フローＦ３Ａ）である。
【図１１】第２の実施形態における測光センサ出力Ｂｖｄ演算処理のフローチャート（フローＦ３Ｂ）である。
【図１２】開放測光補正演算処理のフローチャート（フローＦ４）である。
【図１３】測色処理のフローチャート（フローＦ５）である。
【図１４】第１の実施形態における光源補正値演算処理のフローチャート（フローＦ６Ａ）である。
【図１５】第２の実施形態における光源補正値演算処理のフローチャート（フローＦ６Ｂ）である。
【図１６】光源差補正処理のフローチャート（フローＦ７）である。
【図１７】測色パラメータ算出処理のフローチャート（フローＦ８）である。
【図１８】測色定数設定処理のフローチャート（フローＦ９）および測色定数の一例を示す図である。
【図１９】測色判定処理のフローチャート（フローＦ１０）である。
【図２０】測色補正値演算処理のフローチャート（フローＦ１１）および測色補正値の一例を示す図である。
【図２１】測色補正値演算処理の変形フローのフローチャート（フローＦ１２）である。
【図２２】露出値（Ｌｖｄ）演算処理のフローチャート（フローＦ１３）である。
【図２３】露出値決定演算処理のフローチャート（フローＦ１４）である。
【図２４】分割測光Ｌｖｄ算出のフローチャート（フローＦ１５）である。
【図２５】変形例のカメラの要部の側面構成図である。
【図２６】トラピゾイドプリズムを採用したカメラに本発明を適用した実施形態の要部の概略斜視図である。
【符号の説明】
１  カメラボディ
２  撮影レンズ
５  ペンタプリズム
５Ａ  トラピゾイドプリズム
６  接眼光学系
９  測光センサ
９Ｄ  定常光用測光センサ
９Ｇ  緑用測光センサ
９Ｂ  青用測光センサ
１１  レンズＲＯＭ
１２  光源測光用センサ
２０  制御回路
２６  ＥＥＰＲＯＭ
２７  ＲＡＭ
２８  測光モード切替スイッチ
９２  集光レンズ
９３  ビームスプリッタ
９４  反射部材（反射プリズム，反射ミラー）
【図１】
0004495331.tif 000002
【図２】
0004495331.tif 000003
【図３】
0004495331.tif 000004
【図４】
0004495331.tif 000005
【図５】
0004495331.tif 000006
【図６】
0004495331.tif 000007
【図７】
0004495331.tif 000008
【図８】
0004495331.tif 000009
【図９】
0004495331.tif 000010
【図１０】
0004495331.tif 000011
【図１１】
0004495331.tif 000012
【図１２】
0004495331.tif 000013
【図１３】
0004495331.tif 000014
【図１４】
0004495331.tif 000015
【図１５】
0004495331.tif 000016
【図１６】
0004495331.tif 000017
【図１７】
0004495331.tif 000018
【図１８】
0004495331.tif 000019
【図１９】
0004495331.tif 000020
【図２０】
0004495331.tif 000021
【図２１】
0004495331.tif 000022
【図２２】
0004495331.tif 000023
【図２３】
0004495331.tif 000024
【図２４】
0004495331.tif 000025
【図２５】
0004495331.tif 000026
【図２６】
0004495331.tif 000027